(57)【要約】【課題】本発明の解決しようとする課題は、紙箱の表面に仕掛を有し、紙箱を開封する時に、楽しさや、意外性をもたらすような紙箱を提案するものである。【解決手段】直方体の紙箱であって、前面外板（３）、側面板１（４）、背面板（５）、側面板２（６）、前面内板（７）が、折罫線を介して順次連設され、紙箱の前面は、前面外板（３）と前面内板（７）とからなる２重壁を構成しており、前面外板には、第１の印刷情報（２５）が施されており、前面外板は、１以上の剥離部（２２）を有し、前面内板は、前記剥離部に対応する位置に第２の印刷情報（２６）を有し、剥離部を剥離除去することにより、前面内板に設けられた第２の印刷情報が出現することを特徴とする紙箱である。【選択図】図１
2015151169.tif 000002
【特許請求の範囲】
【請求項１】
直方体の紙箱であって、前面外板、側面板１、背面板、側面板２、前面内板が、折罫線を介して順次連設され、紙箱の前面は、前面外板と前面内板とからなる２重壁を構成しており、
前面外板には、第１の印刷情報が形成されており、
前面外板は、１以上の剥離部を有し、
前面内板は、前記剥離部に対応する位置に第２の印刷情報を有し、
剥離部を剥離除去することにより、前面内板に設けられた第２の印刷情報が出現することを特徴とする紙箱。
【請求項２】
前面内板に、振出口本体が折罫線を介して連設されており、
振出口本体の両側面には、振出口側板が折罫線を介して連設されており、
側面板１の、前記振出口本体が当接する部分には、切込線によって開封可能に設けられた振出口蓋が形成されており、
振出口本体は、振出口蓋の裏面に接着されており、
前記切込線を切断して振出口蓋を開封することにより、側面板１に振出口が出現することを特徴とする請求項１に記載の紙箱。
【請求項３】
前記剥離部は、左右一対のミシン目から構成される開封帯であることを特徴とする請求項１または２に記載の紙箱。
【請求項４】
前記第１の印刷情報は、クイズの問題であり、第２の印刷情報は、その答であることを特徴とする請求項１〜３のいずれか１項に記載の紙箱。
【請求項５】
前記第１の印刷情報と第２の印刷情報は、あみだくじの絵柄であり、前記剥離部を剥離除去することにより、当り外れが変化することを特徴とする請求項１〜３のいずれか１項に記載の紙箱。
【発明の詳細な説明】
【技術分野】
【０００１】
本発明は、菓子などを収納する紙箱に関し、特に子供の遊び心をくすぐるような仕掛を施した紙箱に関する。
【背景技術】
【０００２】
紙箱は、いろいろな物品を収納するための容器として広く用いられている。小売店の店頭に陳列して販売される用途では、紙箱を目立つ形状にしたり、外装に目を引く色彩や文字、絵柄等を印刷したりして販促効果を高めるさまざまな工夫がなされている。
【０００３】
特許文献１に記載されたくじ付カートンは、側板をカバー板で覆う構造を備え、カバー板の一部をめくって剥がすことにより、側板に印刷したくじの当否が判明するものである。特許文献１に記載されたくじ付カートンは、特殊な物品用に作られた特殊な形状であり、くじの表示部分はカートンの側面の限られた部分であるため、くじ以外の用途には用いることができないものである。
【先行技術文献】
【特許文献】
【０００４】
【特許文献１】実開平３−９３４１４号公報
【発明の概要】
【発明が解決しようとする課題】
【０００５】
本発明の解決しようとする課題は、一般的な形状の紙箱の表面に仕掛を有し、紙箱を開封する時に、楽しさや、意外性をもたらすような紙箱を提案するものである。
【課題を解決するための手段】
【０００６】
上記の課題を解決するための手段として、請求項１に記載の発明は、直方体の紙箱であって、前面外板、側面板１、背面板、側面板２、前面内板が、折罫線を介して順次連設され、紙箱の前面は、前面外板と前面内板とからなる２重壁を構成しており、前面外板には、第１の印刷情報が形成されており、前面外板は、１以上の剥離部を有し、前面内板は、前記剥離部に対応する位置に第２の印刷情報を有し、剥離部を剥離除去することにより、前面内板に設けられた第２の印刷情報が出現することを特徴とする紙箱である。
【０００７】
本発明に係る紙箱は、剥離部を有し、剥離部を剥離除去することにより、元から存在した第１の印刷情報に替って第２の印刷情報が出現する。このため、これらの情報の組合わせによってさまざまな予想外の効果を発揮する。
【０００８】
また、請求項２に記載の発明は、前面内板に、振出口本体が折罫線を介して連設されており、振出口本体の両側面には、振出口側板が折罫線を介して連設されており、側面板１の、前記振出口本体が当接する部分には、切込線によって開封可能に設けられた振出口蓋が形成されており、振出口本体は、振出口蓋の裏面に接着されており、前記切込線を切断して振出口蓋を開封することにより、側面板１に振出口が出現することを特徴とする請求項１に記載の紙箱である。
【０００９】
また、請求項３に記載の発明は、前記剥離部が、左右一対のミシン目から構成される開封帯であることを特徴とする請求項１または２に記載の紙箱である。
【００１０】
また、請求項４に記載の発明は、前記第１の印刷情報が、クイズの問題であり、第２の
印刷情報は、その答であることを特徴とする請求項１〜３のいずれか１項に記載の紙箱である。
【００１１】
また、請求項５に記載の発明は、前記第１の印刷情報と第２の印刷情報が、あみだくじの絵柄であり、前記剥離部を剥離除去することにより、当り外れが変化することを特徴とする請求項１〜３のいずれか１項に記載の紙箱である。
【発明の効果】
【００１２】
本発明に係る紙箱は、前面が、前面外板と前面内板とからなる２重壁を構成しており、前面外板には、第１の印刷情報が施されており、前面外板は、１以上の剥離部を有し、前面内板は、前記剥離部に対応する位置に第２の印刷情報を有し、剥離部を剥離除去することにより、前面内板に設けられた第２の印刷情報が出現する。
【００１３】
このため、紙箱を使用する人が、剥離部を開くと、元からあった第１の印刷情報に替って、第２の印刷情報が出現することにより、予想外の驚きが生れる。剥離部の数を２、３と増やすことにより、楽しさは倍加する。
【００１４】
請求項２に記載の発明のように、側面に展開する振出口を設けた場合には、粒状の菓子などを収納した場合に、好適に使用することができる。
【００１５】
請求項３に記載の発明のように、剥離部を、左右一対のミシン目から構成される開封帯とした場合には、実施も容易であり、開封性についても安定している。
【００１６】
請求項４に記載の発明のように、第１の印刷情報が、クイズの問題であり、第２の印刷情報が、その答である場合や、請求項５に記載の発明のように、第１の印刷情報と第２の印刷情報が、あみだくじの絵柄であり、剥離部を剥離除去することにより、当り外れが変化するようにした場合などは、本発明に係る紙箱の特徴的な機能が十分に発揮される。
【図面の簡単な説明】
【００１７】
【図１】図１は、本発明に係る紙箱の一実施態様を示した斜視図であり、前面外板と側面板１が見える角度から見た状態を示した斜視図である。
【図２】図２は、図１に示した紙箱の、剥離部を剥離除去した状態を示した斜視説明図である。
【図３】図３は、図１に示した紙箱を背面板と側面板１が見える角度から見た状態を示した斜視図である。
【図４】図４は、図３に示した状態から、振出口蓋を開封した状態を示した斜視説明図である。
【図５】図５は、図１〜４に示した紙箱のブランクを示した平面模式図である。
【図６】図６は、本発明に係る紙箱の前面外板の一実施例を示した平面説明図であり、左側の図は剥離部を剥離する前の状態を、右側の図は、剥離部を剥離した後の状態を示したものである。
【図７】図７は、本発明に係る紙箱の前面外板の他の実施例を示した平面説明図であり、左側の図は剥離部を剥離する前の状態を、右側の図は、剥離部を剥離した後の状態を示したものである。
【発明を実施するための形態】
【００１８】
以下、図面１〜５を参照しながら、本発明に係る紙箱について詳細に説明する。
本発明に係る紙箱（１）は、図１に示したように直方体の紙箱であって、図５に示したように、前面外板（３）、側面板１（４）、背面板（５）、側面板２（６）、前面内板（７）が、折罫線（ａ、ｄ、ｇ、ｊ）を介して順次連設されている。紙箱の前面は、前面外板（３）と前面内板（７）とからなる２重壁を構成している。
【００１９】
この例では、前面外板（３）には、折罫線（ｂ、ｃ）を介して、のりしろ（９、１０）が連設されており、側面板１（４）には、折罫線（ｅ、ｆ）を介して、フラップ（１３、１４）が連設されている。また、背面板（５）には、折罫線（ｈ、ｉ）を介して蓋（１１、１２）が連設されている。また、側面板２（６）には、折罫線（ｋ、ｌ）を介してフラップ（１５、１６）が連設されている。フラップ（１３〜１６）とのりしろ（９、１０）、蓋（１１、１２）で、紙箱の両端縁が形成される。
【００２０】
また前面内板（７）には、折罫線（ｍ）を介して、のりしろ（８）が、また折罫線（ｎ）を介して振出口本体（１８）がそれぞれ連設されている。のりしろ（８）は、側面板１（４）の裏面に接着される。
【００２１】
前面外板（３）には、箱の外側に第１の印刷情報（２５）が形成されており、未開封の状態では、この第１の印刷情報が見えている。
【００２２】
前面外板（３）には、１以上の剥離部が設けられている。この例では、それぞれ左右一対のミシン目から構成される開封帯である剥離部１（２２）と剥離部２（２３）と剥離部３（２４）の３箇所の剥離部が設けられている。
【００２３】
剥離部は、外観からは開封部位に見えるが、ここを開封しても実際に箱が開封されることはない。しかし、前面外板（３）の下にあって２重壁を構成している前面内板（７）には、剥離部に対応する位置に第２の印刷情報（２６）が形成されているので、剥離部（２２、２３、２４）を剥離除去することにより、前面内板（７）に設けられた第２の印刷情報（２６）が出現することになる。
【００２４】
第１の印刷情報（２５）は、図１、２、５に示したように、剥離部上に及んで存在しても良いし、剥離部上を避けて存在しても良い。
【００２５】
第１の印刷情報（２５）と第２の印刷情報（２６）を対比的に組み合わせることにより、剥離部を除去した時の印象が大きく変ることになる。どのような情報を組み合わせるかは、任意である。
【００２６】
例えば、第１の印刷情報として白馬の絵柄を印刷しておき、第２の印刷情報として、黒べたを印刷しておき、剥離部として細い開封帯を複数本設けておくと、剥離部を開封除去することにより、白馬がシマウマに変化するといった具合である。
【００２７】
図６に示した例では、第１の印刷情報（２５）は、クイズの問題であり、第２の印刷情報（２６）は、その答である。
【００２８】
また、図７に示した例では、第１の印刷情報（２５）が阿弥陀くじの印刷絵柄であり、剥離部（２２、２３、２４）を除去することにより、新たな線が追加されて、当り外れの結果が変ってしまう。
【００２９】
剥離部の構造については、特に制約はなく、例えば一つの開封タブから台形状に広く開
封するような構造であってもよい。図１に示した例のように剥離部が左右一対のミシン目から構成される開封帯であっても良い。
【００３０】
図１〜５に示した例では、前面内板（７）に、振出口本体（１８）が折罫線（ｎ）を介して連設されており、振出口本体（１８）の両側面には、振出口側板（１９、２０）が折罫線（ｏ、ｐ）を介して連設されている。側面板１（４）の、前記振出口本体が当接する部分には、切込線（ｒ）によって開封可能に設けられた振出口蓋（１７）が形成されており、振出口本体（１８）は、振出口蓋（１７）の裏面に接着されている。
【００３１】
このため、切込線（ｒ）を切断して振出口蓋（１７）を開封することにより、側面板１（４）に振出口が出現することになる。このような振出口は、内容物が粒状の菓子などの場合に、少しづつ取り出して食するのに好都合である。
【００３２】
以上のように、本発明に係る紙箱（１）は、通常の紙箱に対して、前面板を１枚余分に付加するだけの簡単な構造でありながら、さまざまな仕掛けを施すことにより、通常の紙箱にはない意外性を発揮することができ、子供の遊び心を育むものとすることができる。
【符号の説明】
【００３３】
１・・・紙箱
２・・・ブランク
３・・・前面外板
４・・・側面板１
５・・・背面板
６・・・側面板２
７・・・前面内板
８〜１０・・・のりしろ
１１、１２・・・蓋
１３〜１６・・・フラップ
１７・・・振出口蓋
１８・・・振出口本体
１９、２０・・・振出口側板
２２・・・剥離部１
２３・・・剥離部２
２４・・・剥離部３
２５・・・第１の印刷情報
２６・・・第２の印刷情報
ａ〜ｐ・・・折罫線
ｒ・・・切込線
【図１】
2015151169.tif 000003
【図２】
2015151169.tif 000004
【図３】
2015151169.tif 000005
【図５】
2015151169.tif 000006
【図６】
2015151169.tif 000007
【図７】
2015151169.tif 000008
【図４】
2015151169.tif 000009